(57)【特許請求の範囲】
【請求項１】
図板（２）の両側に固設される一対の縦レール（４）（６）と、該一対の縦レール（４）（６）の各々に互いに同期して移動するように取り付けられる縦カーソル（８）（１０）と、一方が前記縦カーソル（８）（１０）に揺動自在に軸（１６）支され他方にグリップ用のスケールホルダ（２０）を介してスケール（１８）の両端が支持されたアーム（１２）（１４）とを備え、スケール（１８）を図板（２）の上面から裏面側に反転移動自在とした平行定規装置において、前記スケール（１８）を所望の移動位置に保持するスケール保持手段を設け、前記縦カーソル（８）（１０）に、前記アーム（１２）（１４）を原位置から１８０度反転させた位置で該アーム（１２）（１４）を係止するストッパー（２６）を設け、該ストッパー（２６）によって前記スケール保持手段を構成したことを特徴とする平行定規装置。
【請求項２】
図板（２）の両側に固設される一対の縦レール（４）（６）と、該一対の縦レール（４）（６）の各々に互いに同期して移動するように取り付けられる縦カーソル（８）（１０）と、一方が前記縦カーソル（８）（１０）に揺動自在に軸（１６）支され他方にグリップ用のスケールホルダ（２０）を介してスケール（１８）の両端が支持されたアーム（１２）（１４）とを備え、スケール（１８）を図板（２）の上面から裏面側に反転移動自在とした平行定規装置において、前記スケール（１８）を所望の移動位置に保持するスケール保持手段を設け、前記図板（２）下面又は縦レール（４）（６）の下面に滑り止め（３０）を設け、該滑り止め（３０）に凹入部（３２）を形成し、該凹入部（３２）に図板（２）の裏側に反転させたスケール（１８）を挿入自在とし、これよって前記スケール保持手段を構成したことを特徴とする平行定規装置。
【請求項３】
図板（２）の両側に固設される一対の縦レール（４）（６）と、該一対の縦レール（４）（６）の各々に互いに同期して移動するように取り付けられる縦カーソル（８）（１０）と、一方が前記縦カーソル（８）（１０）に揺動自在に軸（１６）支され他方にグリップ用のスケールホルダ（２０）を介してスケール（１８）の両端が支持されたアーム（１２）（１４）とを備え、スケール（１８）を図板（２）の上面から裏面側に反転移動自在とした平行定規装置において、前記スケール（１８）を所望の移動位置に保持するスケール保持手段を設け、前記図板（２）下面又は縦レール（４）（６）の下面に脚（３６）用の台座（３４）を固設し、該台座（３４）に凹入部（３８）を形成し、該凹入部（３２）に図板（２）の裏側に反転させた前記グリップ用スケールホルダ（２０）又はスケール（１８）を挿入自在とし、これよって前記スケール保持手段を構成したことを特徴とする平行定規装置。
【請求項４】
図板（２）の両側に固設される一対の縦レール（４）（６）と、該一対の縦レール（４）（６）の各々に互いに同期して移動するように取り付けられる縦カーソル（８）（１０）と、一方が前記縦カーソル（８）（１０）に揺動自在に軸（１６）支され他方にグリップ用のスケールホルダ（２０）を介してスケール（１８）の両端が支持されたアーム（１２）（１４）とを備え、スケール（１８）を図板（２）の上面から裏面側に反転移動自在とした平行定規装置において、前記スケール（１８）を所望の移動位置に保持するスケール保持手段を設け、前記縦レール（４）（６）間に鉛筆受け（２８）を架設し、該鉛筆受け（２８）に前記図板（２）裏面に対して所定の間隔を存して対向する押さえ片（４８）を形成し、図板（２）の裏側に反転させたスケールホルダ（２０）又はスケール（１８）を前記押さえ片（４８）で保持し得るように成し、該押さえ片（４８）によって前記スケール保持手段を構成したことを特徴とする平行定規装置。
【請求項５】
図板（２）の両側に固設される一対の縦レール（４）（６）と、該一対の縦レール（４）（６）の各々に互いに同期して移動するように取り付けられる縦カーソル（８）（１０）と、一方が前記縦カーソル（８）（１０）に揺動自在に軸（１６）支され他方にグリップ用のスケールホルダ（２０）を介してスケール（１８）の両端が支持されたアーム（１２）（１４）とを備え、スケール（１８）を図板（２）の上面から裏面側に反転移動自在とした平行定規装置において、前記スケール（１８）を所望の移動位置に保持するスケール保持手段を設け、前記縦レール（４）（６）間に鉛筆受け（２８）を架設し、該鉛筆受け（２８）の前部立ち上がり片（２８ｂ）に前記図板（２）の上面に対して水平方向に押さえ片（５２）を形成し、図板（２）上面の手前側に移動させたスケールホルダ（２０）又はスケール（１８）を前記押さえ片（５２）で保持し、前記鉛筆受け（２８）の上部を前記スケール（１８）によって遮蔽し得るように成し、該押さえ片（５２）によって前記スケール保持手段を構成したことを特徴とする平行定規装置。
【請求項６】
図板（２）の両側に固設される一対の縦レール（４）（６）と、該一対の縦レール（４）（６）の各々に互いに同期して移動するように取り付けられる縦カーソル（８）（１０）と、一方が前記縦カーソル（８）（１０）に揺動自在に軸（１６）支され他方にグリップ用のスケールホルダ（２０）を介してスケール（１８）の両端が支持されたアーム（１２）（１４）とを備え、スケール（１８）を図板（２）の上面から裏面側に反転移動自在とした平行定規装置において、前記スケール（１８）を所望の移動位置に保持するスケール保持手段を設け、前記縦レール（４）（６）の端部にキャップ（２２）（２４）を設け、該キャップ（２２）（２４）の上部又は下部に押さえ片（５４）（５６）を設け、図板（２）の上面側のスケールホルダ（２０）又はスケール（１８）、又は図板（２）の裏側に反転させたスケールホルダ（２０）又はスケール（１８）を前記押さえ片（５４）（５６）で動かないように支持し得るように成し、該押さえ片（５４）（５６）によって前記スケール保持手段を構成したことを特徴とする平行定規装置。
【請求項７】
図板（２）の両側に固設される一対の縦レール（４）（６）と、該一対の縦レール（４）（６）の各々に互いに同期して移動するように取り付けられる縦カーソル（８）（１０）と、一方が前記縦カーソル（８）（１０）に揺動自在に軸（１６）支され他方にグリップ用のスケールホルダ（２０）を介してスケール（１８）の両端が支持されたアーム（１２）（１４）とを備え、スケール（１８）を図板（２）の上面から裏面側に反転移動自在とした平行定規装置において、前記スケール（１８）を所望の移動位置に保持するスケール保持手段を設け、前記縦レール（４）（６）の適所に磁石（５８）（６０）（６２）（６４）を設け、前記アーム（１２）（１４）を磁性材で構成し、該アーム（１２）（１４）を前記磁石（５８）（６０）（６２）（６４）に吸着させて、前記アーム（１２）（１４）を原点角度又は１８０度反転した角度で縦レール（４）（６）側に固定自在とし、前記磁石（５８）（６０）（６２）（６４）によって前記スケール保持手段を構成したことを特徴とする平行定規装置。
【発明の詳細な説明】
【０００１】
【発明の属する技術分野】
本発明は平行定規装置に関する。
【０００２】
【従来の技術】
図板の両側にそれぞれ縦レールを固設し、これら縦レールに互いに同期して移動し得るように縦カーソルを取り付け、これら縦カーソルにアームの一方を回転自在に軸支し、アームの他方にグリップ用のスケールホルダを介してスケールの両端を固定し、スケールを図板の上面に沿って平行移動自在とするとともに、スケールを図板の裏側に反転移動自在とした平行定規装置が従来知られている。
【０００３】
【発明が解決しようとする課題】
平行定規装置を搬送する場合に、縦カーソルにブレーキを掛けて、スケールの移動を防止した後に平行定規装置をバックや箱に入れている。しかるに、縦カーソルに対してアームがフリーなので、スケールが図板から離れる上昇方向に立ち上り、平行定規装置をバックや箱に入れにくいという問題点が存した。また、図面の貼り替えや図板の清掃のとき、スケールを手前に移動し、スケールを反転させてスケールを図板の裏側に移動する。この場合、スケールが落下して平行定規装置を支持する載置台に接触するのでスケールに傷がつくという問題点が存した。
本発明は上記問題点を解決することを目的とするものである。
【０００４】
【課題を解決するための手段】
上記目的を達成するため、本発明は、図板２の両側に固設される一対の縦レール４，６と、該一対の縦レール４，６の各々に互いに同期して移動するように取り付けられる縦カーソル８，１０と、一方が前記縦カーソル８，１０に揺動自在に軸１６支され他方にグリップ用のスケールホルダ２０を介してスケール１８の両端が支持されたアーム１２，１４とを備え、スケール１８を図板２の上面から裏面側に反転移動自在とした平行定規装置において、前記スケール１８を所望の移動位置に保持するスケール保持手段を設け、前記縦カーソル８，１０に、前記アーム１２，１４を原位置から１８０度反転させた位置で該アーム１２，１４を係止するストッパー２６を設け、該ストッパー２６によって前記スケール保持手段を構成したものである。また、前記図板２下面又は縦レール４，６の下面に滑り止め３０を設け、該滑り止め３０に凹入部３２を形成し、該凹入部３２に図板２の裏側に反転させたスケール１８を挿入自在とし、これによって前記スケール保持手段を構成したものである。また、前記図板２下面又は縦レール４，６の下面に脚３６用の台座３４を固設し、該台座３４に凹入部３８を形成し、該凹入部３８に図板２の裏側に反転させた前記グリップ用スケールホルダ２０又はスケール１８を挿入自在とし、これによって前記スケール保持手段を構成したものである。また、前記縦レール４，６間に鉛筆受け２８を架設し、該鉛筆受け２８に押え片４８，５２を形成し、図板２上面の手前側に移動させた又は、図板２の裏側に反転させたスケールホルダ２０又はスケール１８を前記押え片４８，５２で保持し得るように成し、該押え片４８，５２によって前記スケール保持手段を構成したものである。また、前記縦レール４，６の端部にキャップ２２，２４を設け、該キャップ２２，２４の上部又は下部に押え片５４，５６を設け、図板２の上面側のスケールホルダ２０又はスケール１８、又は図板２の裏側に反転させたスケールホルダ２０又はスケール１８を前記押え片５４，５６で動かないように支持し得るように成し、該押え片５４，５６によって前記スケール保持手段を構成したものである。また、前記縦レール４，６の適所に磁石５８，６０，６２，６４を設け、前記アーム１２，１４を磁性材で構成し、該アーム１２，１４を前記磁石５８，６０，６２，６４に吸着させて、前記アーム１２，１４を原点角度又は１８０度反転した角度で縦レール４，６側に固定自在とし、前記磁石５８，６０，６２，６４によって前記スケール保持手段を構成したものである。
【０００５】
【発明の実施の形態】
以下に本発明の実施の形態を、添付した図面を参照して詳細に説明する。
図２において、２は平行定規装置の図板であり、これの両側に縦レール４，６が互いに平行に固設されている。前記図板２と縦レール４，６の上面は略同一平面上に設定されている。前記縦レール４，６にはそれぞれ縦カーソル８，１０が、コロ（図示省略）を介して、移動自在に取り付けられている。前記縦カーソル８，１０は、縦レール４，６の両端のベルトプーリ（図示省略）に掛けられた無端状のタイミングベルト（図示省略）に連結し、左右のベルトプーリを連結する連結シャフト（図示省略）によって、互いに同期して、縦レール４，６に沿って移動するように構成されている。
【０００６】
前記縦カーソル８，１０には、それぞれ揺動アーム１２，１４の一方が回転自在に軸１６支されている。前記揺動アーム１２，１４の他方にはスケール１８が接着されたグリップ用スケールホルダ２０の両端の取付部分２０ａ，２０ｂが固定されている。前記スケールホルダ２０を手で持って持ち上げると、アーム１２，１４は、軸１６を中心として回動し、この回動によって、スケール１８を図板２面から離れる方向に上昇させることができる。スケール１８を図板２上に下ろすと、スケール１８は図板２面に水平に当接する。縦カーソル８，１０を、図１Ｂに示すように、縦レール４，６に沿って、それらの手前側の端部に、縦レール４，６の端部キャップ２２，２４のストッパー面に当接するまで移動すると、スケール１８を、図板２の手前側の縁部２０を越えて、図板２の裏側まで反転させることができるように構成されている。
【０００７】
２６は縦カーソル８，１０に突設されたストッパーであり、アーム１２，１４を原点角度位置から軸１６を中心として反転方向に１８０度回転したとき、該アーム１２，１４を係止する位置に設けられている。２８は鉛筆受けである。
上記した構成において、スケール１８を図板２の手前側の縁部２ａ方向に限界位置まで移動し、スケール１８を図板２面に水平に対接した状態から、軸１６を中心として、図板２の裏側方向にアーム１２，１４がストッパー２６に係止されるまで１８０度反転させる。次に、縦カーソル８，１０を縦レール４，６に沿って所定距離中央方向に戻すと、スケール１８の下面は、図板２の裏面に、これに水平に近接又は密着した状態で保持される。
次に、図３乃至５を参照して、スケールを図板裏側に保持する、スケール保持手段の他の実施形態を説明する。
【０００８】
３０は縦レール４，６の下面と図板２の裏面にまたがってその張付け面３０ａが固着されたゴム製の滑り止めであり、これに、凹入部３２が形成され、この凹入部３２に、図板２の裏側に反転させたスケール１８を差し込むことができるように構成されている。スケール１８を図３に示すように滑り止め３０の凹入部３２に差し込むことにより、スケール１８は、凹入部３２のストッパー面３２ａによって、差し込み位置に保持され、その落下が阻止される。尚、図５に示すように前記滑り止め３０の端面３０ｂに磁性面３０ｂを設け、スケール１８を凹入部３２に差し込むと、金属製のグリップ用スケールホルダ２０が、滑り止め３０の端面３０ｂに当接するように成し、端面３０ｂの磁気力によって、グリップ用スケールホルダ２０が滑り止め３０に接着されるようにしても良い。
次にスケール保持手段の他の実施形態を図６乃至図９を参照して説明する。
３４は縦レール４，６の下面又は図板２の裏面に固設された台座であり、これに折り畳み脚３６が起倒自在に枢支されている。
【０００９】
折り畳み脚３６は図板２の裏面方向に屈折させると、台座３４内に収納することができるように構成されている。台座３４には、凹入部３８が形成され、この凹入部３８に、図板２の裏面に反転移動配置したスケール１８のホルダ２０を差し込むことができるように構成されている。スケールホルダ２０は、凹入部３８のストッパー面３８ａに密着し、反転差し込み位置に保持される。図７は、台座３４の凹入部３８のストッパー面３８ａにゴムシートなどの滑り止めシート４０を設けた実施形態を示している。これによって、スケールホルダ２０をしっかりと台座３４に固定でき、しかもスケールホルダ２０に傷が付くのを防ぐことができる。図８は、台座３４の凹入部３８のストッパー面３８ａに、突起４０を設け、この突起４０に対して、スケールホルダ２０に嵌合凹部４２を設けた実施形態を示している。凹入部３８にスケールホルダ２０を差し込むと、嵌合凹部４２が突起４０に嵌合し、スケールホルダ２０が簡単に凹入部３８から外れるのを防止している。
【００１０】
図９は、図板２の裏面に延びるように、台座３４を縦レール４，６に固定し、台座３４にスケール１８を受け入れる凹入部４４を設け、この凹入部４４にスケール１８を差し込むと、金属製スケールホルダ２０の端面が台座３４に設けた磁性面４６に、磁気力によって接着されるようにしたものである。
次に、鉛筆受けを利用した、スケール保持手段を、図１０乃至図１４を参照して説明する。
２８は、縦レール４，６の、図板２の手前方向に突出する部分４ａ，６ａに架設された鉛筆受けであり、これの後部立ち上り片２８ａに図板２面に対して水平方向に押え片４８が形成されている。
【００１１】
押え片４８は、図板２裏面２ｂに対して、所定の間隔を存して平行に対向し、該裏面２ｂとの間に凹入部を形成している。図板２の裏側に反転移動させたスケール１８を押え片４８の上面に差し込むことができる。スケール１８は、押え片４８との摩擦によって差し込み位置に安定的に保持され、簡単に押え片４８と図板２の裏面２ｂとで形成された凹入部５０から外れることがない。図１２，１４は、図板２の上面側で、スケール１８を保持する実施形態を示している。鉛筆受け２８の前部立ち上り片２８ｂに図板２の上面に対して水平方向に押え片５２が形成されている。スケール１８を図板２の手前に移動させて、スケール１８の手前の縁を押え片５２の下に圧入すると、スケール１８は、押え片５２との摩擦によって圧入位置に保持される。このとき、鉛筆受け２８の上部はスケール１８によって遮蔽される。そのため、平行定規装置を傾斜させた場合に、鉛筆受け２８から鉛筆が転がり落ちるのを防止することができる。
【００１２】
鉛筆受け２８の押え片４８，５２とスケール１８との摩擦接触によってスケール１８に傷が付かないように、図１４に示すように、押え片４８，５２をゴム、樹脂等によって構成するようにしても良い。又、鉛筆受け２８にスケールホルダ２０用の押え片を設け、図板２の上面側及び又は裏面側でスケールホルダ２０を保持し得るようにしても良い。
次にレール端キャップを利用したスケール保持機構を図１５乃至図１８を参照して説明する。
２２，２４は、縦レール４，６の手前方向の端部に装着されたレール端キャップであり、これに、図板２の上面に対して水平方向に押え片５４が形成されている。押え片５４は図板２上面の延長平面に対して略スケール１８と同一幅の間隔を存して平行に対向している。
【００１３】
スケール１８を図板２の上面上で手前に移動させ、スケール１８の手前の縁を押え片５４の下に挿入すると、スケール１８は押え片５４との摩擦によって、挿入位置に保持される。図１７，図１８は、押え片５６を、キャップ２２，２４の下部に形成した実施形態を示している。スケール１８を図板２の裏側に反転移動させ、スケール１８を押え片５６の下に圧入すると、スケール１８は、押え片５６との摩擦によって図板２の裏側で、圧入位置に保持される。尚、キャップ２２，２４にスケールホルダ２０用の押え片を設け、スケールホルダ２０を図板２の上面側又は下面側で保持する構成としても良い。図１９及び２０は、縦レール４，６の端部の上面に磁石５８，６０，６２，６４を配設し、金属で構成したアーム１２，１４の水平部５８を磁石５８，６２又は６０，６４に吸着させ、スケール１８を図板２の表面側で、図板２の上縁又は下縁に近傍に保持することができるようにした実施形態を示している。磁石５８，６０，６２，６４は、縦レール４，６の手前の端部の下面に設けても良く、この場合、スケール１８を図板２の裏面で落下しないように保持することができる。
【００１４】
【発明の効果】
本発明は上述の如く構成したので、平行定規装置の搬送作業を容易に行うことができ、また、図板の貼り替えや清掃のとき、図板の裏側に反転させたスケールの落下を防止できる等の効果が存する。
【図面の簡単な説明】
【図１】本発明の動作説明図である。
【図２】平行定規装置の概略平面図である。
【図３】本発明の他の実施形態を示す側面図である。
【図４】すべり止めの外観図である。
【図５】すべり止めの他の実施形態を示す外観図である。
【図６】本発明の他の実施形態を示す側面図である。
【図７】台座の他の実施形態を示す説明的側面図である。
【図８】本発明の他の実施形態を示す説明的側面図である。
【図９】本発明の他の実施形態を示す説明的側面図である。
【図１０】本発明の他の実施形態を示す説明的側面図である。
【図１１】本発明の他の実施形態を示す縦断側面図である。
【図１２】本発明の他の実施形態を示す説明的側面図である。
【図１３】本発明の他の実施形態を示す縦断側面図である。
【図１４】鉛筆受けの縦断面図である。
【図１５】本発明の他の実施形態を示す説明的側面図である。
【図１６】レール端キャップの外観図である。
【図１７】本発明の他の実施形態を示す説明的側面図である。
【図１８】レール端キャップの外観図である。
【図１９】本発明の他の実施形態を示す平面図である。
【図２０】本発明の他の実施形態を示す説明的縦断正面図である。
【符号の説明】
２      図板
４      縦レール
６      縦レール
８      縦カーソル
１０    縦カーソル
１２    揺動アーム
１４    揺動アーム
１６    軸
１８    スケール
２０    スケールホルダ
２０ａ  取付部分
２０ｂ  取付部分
２２    キャップ
２４    キャップ
２６    ストッパー
２８    鉛筆受け
３０    滑り止め
３０ａ  張付け面
３２    凹入部
３４    台座
３６    折り畳み脚
３８    凹入部
３８ａ  ストッパー面
４０    突起
４２    嵌合凹部
４４    凹入部
４６    磁性面
４８    押え片
５０    凹入部
５２    押え片
５４    押え片
５６    押え片
５８    水平部
【図１】
0003666984.tif 000002
【図２】
0003666984.tif 000003
【図３】
0003666984.tif 000004
【図４】
0003666984.tif 000005
【図５】
0003666984.tif 000006
【図６】
0003666984.tif 000007
【図７】
0003666984.tif 000008
【図８】
0003666984.tif 000009
【図９】
0003666984.tif 000010
【図１０】
0003666984.tif 000011
【図１１】
0003666984.tif 000012
【図１２】
0003666984.tif 000013
【図１３】
0003666984.tif 000014
【図１４】
0003666984.tif 000015
【図１５】
0003666984.tif 000016
【図１６】
0003666984.tif 000017
【図１７】
0003666984.tif 000018
【図１８】
0003666984.tif 000019
【図１９】
0003666984.tif 000020
【図２０】
0003666984.tif 000021